(57)【要約】【課題】薬液散布装置において、散布薬液の散布領域からの飛散を防止し、散布効果を高める。【解決手段】機体に昇降自在に設けている作業機連結装置（５１ａ，５１ｂ）には、噴霧ノズル３，…から進行方向の側面視で鉛直線に対して所定角度（θ）後側下がり傾斜状に薬液を噴霧するブームスプレーヤ（４Ｃ）を設け、ブームスプレーヤ（４Ｃ）の後方位置に後側送風管（５２ｒ）を左右方向に沿うように配設して、下方に吹き出す空気により後側エアカーテン（５４ｒ）を形成し、ブームスプレーヤ（４Ｃ）の前方位置に前側送風管（５２ｆ）を左右方向に沿うように配設して、下方に吹き出す空気により前側エアカーテン（５４ｆ）を形成する。【選択図】図６
2009201487.tif 000002
【特許請求の範囲】
【請求項１】
機体に昇降自在に設けている作業機連結装置（５１ａ，５１ｂ）には、噴霧ノズル３，…から進行方向の側面視で鉛直線に対して所定角度（θ）後側下がり傾斜状に薬液を噴霧するブームスプレーヤ（４Ｃ）を設け、前記作業機連結装置（５１ａ，５１ｂ）には前記ブームスプレーヤ（４Ｃ）の後方位置に後側送風管（５２ｒ）を左右方向に沿うように配設して、下方に吹き出す空気により後側エアカーテン（５４ｒ）を形成するようにし構成したことを特徴とする農用作業車の薬液散布装置。
【請求項２】
前記作業機連結装置（５１ａ，５１ｂ）には前記ブームスプレーヤ（４Ｃ）の前方位置に前側送風管（５２ｆ）を左右方向に沿うように配設し、下方に吹き出す空気により前側エアカーテン（５４ｆ）を形成するように構成したことを特徴とする請求項１記載の農用作業車の薬液散布装置。
【発明の詳細な説明】
【技術分野】
【０００１】
本発明は、農用作業車の薬液散布装置に関するものである。
【背景技術】
【０００２】
農用作業車の薬液散布装置において、ブームスプレーヤの下向きに噴霧する噴口と併せて、ブームスプレーヤの畦間にあたる部位から下方にパイプ等で薬液を導き、パイプ等の下端部位に進行方向に対して左右方向に噴口を配置することにより、作物の上方と併せて左右両側からも薬液を散布し、葉の表と裏に薬液を散布するようにしたものは公知である（特許文献１）。
【特許文献１】特開平１１−２８０４２号公報
【発明の開示】
【発明が解決しようとする課題】
【０００３】
前述のような構成では、散布薬液が散布領域から飛散し、作物の葉部への散布効果が低下し、風の強い状態では散布効果が一段と低下するという不具合があった。そこで、この発明はこのような不具合を解消しようとするものである。
【課題を解決するための手段】
【０００４】
請求項１の発明は、機体に昇降自在に設けている作業機連結装置（５１ａ，５１ｂ）には、噴霧ノズル３，…から進行方向の側面視で鉛直線に対して所定角度（θ）後側下がり傾斜状に薬液を噴霧するブームスプレーヤ（４Ｃ）を設け、前記作業機連結装置（５１ａ，５１ｂ）には前記ブームスプレーヤ（４Ｃ）の後方位置に後側送風管（５２ｒ）を左右方向に沿うように配設して、下方に吹き出す空気により後側エアカーテン（５４ｒ）を形成するようにし構成したことを特徴とする農用作業車の薬液散布装置とする。
【０００５】
前記構成によると、作業機連結装置（５１ａ，５１ｂ）に設けられているブームスプレーヤ（４Ｃ）の噴霧ノズル３，…から進行方向の側面視で鉛直線に対して所定角度（θ）後側下がり傾斜状に薬液が噴霧され、その後方位置の後側送風管（５２ｒ）から下方に吹き出される空気により、左右方向に沿った上下方向の後側エアカーテン（５４ｒ）が形成される。しかして、ブームスプレーヤ（４Ｃ）の噴霧ノズル（３，…）から進行方向の側面視で後側下り傾斜状に噴霧された薬液粒子は地面から後側上方傾斜状に第一反射して後側エアカーテン（５４ｒ）に送られ、更に、後側エアカーテン（５４ｒ）から前側上向き傾斜状に第二反射し、作物の葉部の裏側に付着する。
【０００６】
請求項２の発明は、前記作業機連結装置（５１ａ，５１ｂ）には前記ブームスプレーヤ（４Ｃ）の前方位置に前側送風管（５２ｆ）を左右方向に沿うように配設し、下方に吹き出す空気により前側エアカーテン（５４ｆ）を形成するように構成したことを特徴とする請求項１記載の農用作業車の薬液散布装置とする。
【０００７】
前記構成によると、請求項１の発明の前記作用に加えて、薬液噴霧位置の前方位置の前側送風管（５２ｆ）から下方に吹き出される空気により、左右方向に沿った上下方向の前側エアカーテン（５４ｆ）が形成され、地面から前側上方傾斜状に反射した薬液粒子は前側エアカーテン（５４ｆ）で受け止められ、作物の葉部の裏側への付着を促進させることができる。
【発明の効果】
【０００８】
請求項１の発明は、ブームスプレーヤ（４Ｃ）の噴霧ノズル（３，…）から噴霧された薬液粒子を後側エアカーテン（５４ｒ）により閉じ込めると共に反射させ、作物の葉部の裏側への付着効果を高めることができる。
【０００９】
請求項２の発明は、請求項１の発明の前記効果に加えて、地面から前側上方に反射した薬液噴霧が前側エアカーテン（５４ｆ）により受け止めて噴霧領域内に閉じ込めることができ、薬液の作物への付着効果を高めることができ、また、運転席（１９）への薬液飛散を防止することができる。
【発明を実施するための最良の形態】
【００１０】
以下、本発明の実施形態について説明する。
農用作業車１は、薬液タンク２と、噴霧ノズル３を備えたブームスプレーヤ４と、薬液タンク２内の薬液を噴霧ノズル３まで送る防除ポンプ６等からなる散布装置７を車体に装着した構成である。
【００１１】
次に、農用作業車１について説明する。この農用作業車１は、前後方向に沿った主フレーム８，８を左右平行に設け、主フレーム８，８の前側左右両側に左右前輪９，９と後側左右両側に左右後輪１１，１１を設けている。この左右主フレーム８，８上にはオペレータが足を置くフロア１２が設けられていて、フロア１２上には左右のブレーキぺダル１３，１３等が設けられている。
【００１２】
車体前側部のボンネット１６内にはエンジン１７が搭載されていて、エンジン１７の動力をミッションケース１８に伝動し、ミッションケース１８内の静油圧式無段変速装置（図示省略）及びギヤ式の副変速装置（図示省略）を経て前輪９，９及び後輪１１，１１に伝動している。
【００１３】
ボンネット１６の後側部からハンドル２１を突設し、ハンドル２１の後方に運転席１９を設けている。ボンネット１６の後側部に表示パネル２３を設け、運転席１９の左側には無段変速装置変速用の主変速レバー（図示省略）を設け、運転席１９の右側には散布量や散布幅を設定する散布設定器２７を設けている。
【００１４】
散布装置７を構成する薬液タンク２は、運転席１９の左右両側に位置する左右タンク部２ａ，２ｂと、これらのタンク部２ａ，２ｂを連通する連通管２ｃにより構成している。また、図４に示すように、薬液タンク２の下部からパイプ２８を経由して防除ポンプ６に連通している。防除ポンプ６は電気モータにより駆動され、防除ポンプ６から吐出した薬液は吐出ホース２９に送られ、吐出ホース２９のマニホールド２９ａには、調圧制御弁３１、エアチャンバ３２、リリーフバルブ３３、流量制御弁３４、調圧制御弁３１の対向部に吐出圧力センサ４９ａを設け、リリーフバルブ３３からの余分の吐出薬液を戻しホース３６を経由して薬液タンク２に還流する構成である。また、防除ポンプ６からの吐出薬液の一部を撹拌用ホース３７を経由して薬液タンク２の底部に還流し、沈殿した薬液を撹拌している。
【００１５】
調圧制御弁３１で調圧された散布薬液は散布ホース３８に送られ、流量センサ４１により流量が検出される。散布ホース３８の終端側に散布圧力センサ４９ｂを設け、散布ホース３８の薬液は前側延長ホース３９，…を経てブームスプレーヤ４に送られる。
【００１６】
また、図４に示すように、散布コック３５から後側散布ホース７３、後側散布コック７４、後側散布ホース７３ａを経由して、後側噴霧ノズル７５，…から薬液を散布するようにすると、無散布区域の発生を防止しながら、消費馬力を小さくしながら薬液散布をすることができる。
【００１７】
また、図１乃至図３に示すように、散布装置７を構成するブームスプレーヤ４は、農用作業車１の主フレーム８の前側部に設けたブーム支持部材４２ｂにより支持されている。このブーム支持部材４２ｂは油圧シリンダ４３により散布高さが調整できる。ブームスプレーヤ４は中央ブームスプレーヤ４Ｃ、左右ブームスプレーヤ４Ｌ，４Ｒで構成されていて、所定間隔毎に噴霧ノズル３，…を設けている。この左右ブームスプレーヤ４Ｌ，４Ｒは、図２に示すように、左右両側に突出した散布状態と、農用作業車１の左右側部に沿った収納状態とにアクチュエータにより変更できる構成である。
【００１８】
前記構成によると、作業中にはエンジン１７の動力が静油圧式無段変速装置（図示省略）及びギヤ式副変速装置（図示省略）を経由して左右の前輪９，９及び左右の後輪１１，１１に伝達されて所定作業速度で走行し、また、防除ポンプ６からの吐出薬液は調圧制御弁３１、散布ホース３８、前側延長ホース３９，…を経て中央ブームスプレーヤ４Ｃ、左右ブームスプレーヤ４Ｌ，４Ｒに送られ、噴霧ノズル３，…から作物あるいは圃場面に散布される。
【００１９】
次に、図５に示す薬液散布装置について説明する。
機体前側部のリンク支持部材４２ａには、長い下部リンク５１ａと短い上部リンク５１ｂの後側端部を上下回動自在に枢支し、下部リンク５１ａ及び上部リンク５１ｂの前側端部に、ブーム取付部材４２ｂを下側が後方に緩傾斜するように取り付けて略平行リンク機構を構成し、油圧シリンダ４３により昇降自在に構成している。ブーム支持ブーム材４２ｂには、中央ブームスプレーヤ４Ｃを左右方向に沿わせて取り付け、噴霧ノズル３，…から進行方向の側面視で鉛直線に対して所定角度（θ）後側下がり傾斜状に薬液を噴霧するように構成している。また、下部リンク５１ａには中央ブームスプレーヤ４Ｃの後方に位置するように後側送風管５２ｒを左右方向に沿うように取り付け、送風ダクト５３により後側送風管５２ｒに送風し、下方に吹き出す空気により中央ブームスプレーヤ４Ｃの後方に後側エアカーテン５４ｒを形成している。
【００２０】
前記構成によると、中央ブームスプレーヤ４Ｃから後側下り傾斜状に噴霧された薬液粒子が地面から後側上方傾斜状に第一反射して後側エアカーテン５４ｒに送られ、更に、後側エアカーテン５４ｒにより前側上向き傾斜状に第二反射し、作物の葉部の裏側への薬液付着効果を高めることができる。また、長い下部リンク５１ａと短い上部リンク５１ｂを昇降させることにより、構成を簡単にでありながら作物の背丈に合わせて薬液噴霧位置を昇降調節しても、中央ブームスプレーヤ４Ｃの噴霧ノズル３，…の噴霧方向を後側下り傾斜状にすることができ、薬液の付着効果を高めることができる。また、薬液の噴霧箇所の後方に後側エアカーテン５４ｒを形成することにより、農用作業車１の運転席１９への薬液飛散を防止することができる。
【００２１】
また、図６に示すように、ブーム支持部材４２ｂから前方へ延出したステー５６に、前側送風管５２ｆを左右方向に沿うように取り付け、送風ダクト５３により前側送風管５２ｆに送風し、下方に吹き出す空気により中央ブームスプレーヤ４Ｃの前方に前側エアカーテン５４ｆを形成し、薬液噴霧箇所の前後に前側、後側エアカーテン５４ｆ，５４ｒを形成している。
【００２２】
前記構成によると、中央ブームスプレーヤ４Ｃからの後側下り傾斜状態の薬液噴霧が前方に反射しても前側エアカーテン５４ｆにより受けとめられて、反射粒子を噴霧領域内に閉じ込めることができ、薬液の作物への付着効果を高めることができる。また、中央ブームスプレーヤ４Ｃを昇降調節しても、前側送風管５４ｆ及び後側送風管５４ｒを同調して昇降させることができ、噴霧薬液の反射作用及び閉じ込め作用を確実なものとすることができる。
【００２３】
また、図７に示すように、下部リンク５１ａに後側送風管５２ｒを支持ステー５７により前後方向に調節可能に取り付けるようにすると、中央ブームスプレーヤ４Ｃからの薬液噴霧高さを略一定にしながら、小さな作物に対しては後側エアカーテン５４ｒを前側に調節し、また、大きな作物に対しては後側に調節することにより、薬液の葉部の裏への付着効果を高めることができる。また、中央ブームスプレーヤ４Ｃを所定高さに維持することにより、薬液の噴霧速度を適正化し、作物への薬液付着効果を高めることができる。
【００２４】
また、図８に示すように、支持ステー５６を前後調節可能に構成して、前側送風管５２ｆを前後方向に調節可能に取り付けてもよい。前記構成によると、中央ブームスプレーヤ４Ｃからの薬液噴霧高さを略一定にしながら、小さな作物に対しては前側エアカーテン５４ｆを後側に調節し、また、大きな作物に対しては前側に調節することにより、作物の葉部の裏への薬液付着効果を高めることができる。また、中央ブームスプレーヤ４Ｃを所定高さに維持することにより、薬液の噴霧速度を適正化し、作物への薬液付着効果を高めることができる。
【００２５】
また、図９に示すように、前側送風管５２ｆ及び後側送風管５２ｒをそれぞれ独立して前後方向に調節可能に構成してもよい。前記構成によると、風の影響による噴霧薬液の飛散を少なくし、作物の葉の裏側への付着効果を高めることができる。
【００２６】
次に、図１０について説明する。
機体前側部のリンク支持部材４２ａには等長の下部リンク５１ａ及び上部リンク５１ｂの後側端部を上下回動自在に枢支し、下部リンク５１ａ及び上部リンク５１ｂの前側端部にブーム取付部材４２ｂを取り付けて平行リンク機構を構成し、油圧シリンダ４３により昇降自在に構成している。ブーム取付部材４２ｂから前方へ延出している支持ステー５７には、中央ブームスプレーヤ４Ｃを左右方向に沿わせて取り付け、噴霧ノズル３，…から側面視で鉛直方向に薬液を噴霧するように構成している。
【００２７】
また、中央ブームスプレーヤ４Ｃのフレーム部後側部には、後側送風管５２ｒを左右方向に沿うように取り付け、送風ダクト５３により後側送風管５２ｒに送風し、下方後側傾斜状に吹き出す空気により中央ブームスプレーヤ４Ｃの後方に後側エアカーテン５４ｒを形成している。また、中央ブームスプレーヤ４Ｃのフレーム部前側部には、前側送風管５２ｆを左右方向に沿うように取り付け、送風ダクト５３により前側送風管５２ｆに送風し、下方前側傾斜状に吹き出す空気により中央ブームスプレーヤ４Ｃの前方に前側エアカーテン５４ｆを形成している。
【００２８】
前記構成によると、薬液散布装置を軽量コンパクトに構成しながら、噴霧薬液を前側、後側エアカーテン５４ｆ，５４ｒによら挟み込むことにより、噴霧薬液の飛散を防止することができる。
【００２９】
また、中央ブームスプレーヤ４ｃの噴霧ノズル３，…の下端位置よりも、前側送風管５２ｆ及び後側送風管５２ｒの吹き出し口を上方に位置させたことにより、風の影響による薬液噴霧粒子の飛散を前側、後側エアカーテン５４ｆ，５４ｒにより防止することができる。
【００３０】
次に、図１１及び図１２に基づき他の実施形態について説明する。
等長の下部リンク５１ａ，上部リンク５１ｂからなる平行リンク機構のブーム取付部材４２ｂに、中央ブームスプレーヤ４ｃを設けて薬液を噴霧するにあたり、中央ブームスプレーヤ４Ｃから畦及び作物の間に位置するように吊り下げ噴霧管５９，…を垂下延出し、吊り下げ噴霧管５９，…の下端部から噴霧ノズル３，…により、前後左右に上向き傾斜状に薬液を噴霧するように構成する。そして、薬液噴霧箇所の後方に後側送風管５２ｒから下方後側傾斜状に吹き出す空気により後側エアカーテン５４ｒを形成し、前方には前側送風管５２ｆから下方前側傾斜状に吹き出す空気により前側エアカーテン５４ｆを形成する。
【００３１】
前記構成によると、噴霧ノズル３，…からの前後方向の噴霧薬液は前側、後側エアカーテン５４ｆ，５４ｒによりに当たり後側斜め上方あるいは前側斜め上方へ反射し、反射粒子が作物の葉の裏側に付着する。また、噴霧ノズル３，…を霧の発生するノズルとしても、薬液粒子の前後への飛散を防止し、作物への噴霧薬液の付着効果を高めることができる。
【００３２】
また、図１３に示すように、噴霧ノズル３，…の前後位置にに前側、後側エアカーテン５４ｆ，５４ｒを形成するにあたり、前側送風管５２ｆを回動調節手段６１により左右方向の軸回りに回動調節可能に構成し、前側送風管５２ｆから前側下向きの緩傾斜状の前側エアカーテン５４ｆを傾斜角度調節可能に形成し、後側送風管５２ｒから後側下向きの急傾斜状の後側エアカーテン５４ｒを形成するように構成してもよい。
【００３３】
前記構成によると、前側下向きの緩傾斜状の前側エアカーテン５４ｆ、及び、後側下向きの急傾斜状の後側エアカーテン５４ｒにより、作物の閉鎖空間を広くしながら、前側エアカーテン５４ｆによる反射薬液粒子を作物上部の葉部の裏側に散布し、また、後側エアカーテン５４ｒによる反射薬液粒子を作物下部の葉部の裏側に散布し、前後の噴霧薬液粒子の衝突による水滴化を少なくしながら、作物全体に良好に散布することができる。
【００３４】
次に、図１４及び図１５に基づき農用作業車１の下部カバー６３ついて説明する。
農用作業車１の主フレーム８、８の前側部から左右両側に左右フロントアクスルケース６４，６４を延出し、左右フロントアクスルケース６４，６４から左右前輪支持ケース６５，６５を下方に延出し、左右前輪９，９を操舵自在に取り付けている。また、主フレーム８、８の後側部から左右両側に左右リヤーアクスルケース６６，６６を延出し、左右リヤーアクスルケース６６，６６から下方に左右後輪支持ケース６７，６７を延出し、左右後輪１１，１１を操舵自在に取り付け、主フレーム８，８の下方空間を大きく構成している。
【００３５】
そして、主フレーム８，８の下方には、左右前輪９，９及び左右後輪１１，１１の間を被覆する下部カバー６３を設け、この下部カバー６３の左右両側端部に前後方向に沿うように断面円形状（あるいは多角形状）の左右軟質ロール６８，６８を取り付けている。
【００３６】
前記構成によると、下部カバー６３及び左右軟質ロール６８，６８により、作物の葉部の損傷を防止することができる。また、下部カバー６３の左右両側に断面円形の左右軟質ロール６８，６８を設けることにより、作物の損傷防止効果を高めることができる。
【００３７】
また、図１６に示すように、下部カバー６３の左右両側に左右軟質ロール６８，６８を設け、前後にも断面円形の前側軟質ロール６９、及び、後側軟質ロール７０を設けると、畔際旋回時の作物の損傷防止効果を高めることができる。
【００３８】
次に、図１７に基づき調圧制御弁３１及び流量制御弁３４を備えた散布装置の調圧制御構成について説明する。
調圧制御弁３１の調圧スクリュー軸３１ａは調整制御モータ３１ｂにより駆動され、調圧スクリュー軸３１ａにアウタスクリュー軸３１ｃをねじ嵌合し、伸縮調節されるアウタスクリュー軸３１ｃによりスプリング３１ｃを調圧し、薬液の吐出圧を調整するように構成している。
【００３９】
このアウタスクリュー軸３１ｃと調圧ポテンショメータ４４の検出アーム４４ａとをピン４４ｂにより係合し、調圧制御弁３１の吐出圧を設定するように構成している。
前記構成によると、調圧制御弁３１の調圧スクリュー軸３１ａにアウタスクリュー軸３１ｃをねじ嵌合し、ポテンショメータ４４により圧力の設定を可能にしたことにより、散布作業開始前に調圧制御弁３１の基準圧を決定するスプリング３１ｃの押圧力を、例えば２５／ｃｍ２に規制する位置にセットし、流量制御弁３４の基準圧より例えば２０％高く設定すると、調圧制御弁３１を薬液吐出下手側にある流量制御弁３４の基準圧力よりも高めに設定することができ、散布作業開始時の散布量減少を防止することができる。
【００４０】
また、吐出ホース２９のマニホールド２９ａには、調圧制御弁３１の対向部に吐出圧力センサ４９ａを設け、吐出圧力センサ４９ａが調圧制御弁３１の設定基準圧力に達したことを検出すると、コントローラの駆動指令により初めて防除ポンプ６の駆動用モータのスイッチがＯＮするように構成すると、散布作業開始直後の薬液無散布区域の発生を防止することができる。
【００４１】
また、散布作業開始前における農用作業車１のエンジン始動のためにキースイッチをＯＮしたときには、前記調圧制御弁３１を設定基準圧に調整し、且つ、前記流量制御弁３４を基準開度に設定しておくと、機体発進直後の散布量低下を防止することができる。
【００４２】
次に、図１８及び図１９に基づき農用作業車１の機体後部に連結する除草機８１について説明する。
この除草機８１は、農用作業車１から動力の伝達を受ける伝動ボックス８２、伝動ボックス８２から後側下方に延出している作業伝動ケース８３、作業伝動ケース８３の下部に軸架している左右耕耘軸８４，８４、左右耕耘軸８４，８４に取り付けられている左右ドラムロータ８５，８５、ドラムカバー８６，８６等により構成されている。
【００４３】
ドラムロータ８５は、左右耕耘軸８４，８４に取り付けている左右内側回転軸８５ａ，８５ａと、左右内側回転軸８５ａ，８５ａに取り付けている爪ホルダ８５ｂ，…と、左右外側回転軸８５ｃ，８５ｃに取り付けている爪ホルダ８５ｄ，８５ｄと、爪ホルダ８５ｂ，…と爪ホルダ８５ｄ、…に跨がるように取り付けられていて、且つ、刃部のある背面視で略Ｕ字状に屈曲した複数の左右ブレード８５ｅ，…と、によりドラム型の除草装置を構成している。
【００４４】
そして、左右ブレード８５ｅ，…の回転半径を内側部（Ｌ）から外側部（Ｌ１）に向けて順次緩傾斜状に小さくなるように構成し、また、畦の下部に左右両側端部（Ｌ１からＬ２位置）では急傾斜で小さくなるようにして、畦の下部に沿うように構成している。
【００４５】
従来装置の左右ブレード８５ｅ，…の回転半径は、内側部と外側部とが同じ回転半径であるため、除草されてブレードに引っ掛かった雑草類がそのまま持ち回りされ、ブレードにずれながら堆積するという不具合が発生していた。
【００４６】
しかし、前記構成によると、左右ブレード８５ｅ，…の回転半径が内側部から外側部に向けて順次小さくなるように構成しているので、左右ブレード８５ｅ，…に引っ掛かった雑草類を左右外側に向けて順次移動し自動的に排出することができ、ブレードの雑草類の切断能力を維持しながら、雑草類の排除作業を少なくすることができる。また、左右ブレード８５ｅ，…により畦間の除草作業をすると、左右ブレード８５ｅ，…における回転半径の内側部から外側部に向けて順次小さくなる部分が、地面に対して略同じ抵抗で接触しながら回転し、摩耗を均等化し耐久性を高めることができる。
【００４７】
また、図２０のように構成してもよい。左右ブレード８５ｅ，…を内側ブレード８５ｅ１と外側ブレード８５ｅ２に分割構成し、左右内側回転軸８５ａ，８５ａの爪ホルダ８５ｂ，…に内側ブレード８５ｅ１，…を取り付け、左右耕耘軸８４，８４に対して爪ホルダ８５ｄ，…付きの左右外側回転軸８５ｃ，８５ｃを左右に段階的（あるいは無段階）に調節可能に取り付け、この爪ホルダ８５ｄ，…に外側ブレード８５ｅ２を取り付ける。そして、対応している内側ブレード８５ｅ１，…及び外側ブレード８５ｅ２，…の先端部を内外から接合し、背面視で略Ｕ字型に構成する。また、内側、外側ブレード８５ｅ１，８５ｅ２の回転半径を、前記実施形態と同様に内側部から外側部に向けて順次小さくなるように構成する。
【００４８】
前記構成によると、畦間隔に応じて左右ブレード８５ｅ，…の幅を調節し除草幅を適正化しながら、前記実施形態と同様の効果が期待できる。
また、図２１に示すように、左右ブレード８５ｅ，…を内側ブレード８５ｅ１と外側ブレード８５ｅ２に分割構成し、左右内側回転軸８５ａ，８５ａの爪ホルダ８５ｂ，…に内側ブレード８５ｅ１，…を取り付け、左右外側回転軸８５ｃ，８５ｃの爪ホルダ８５ｄ，…に対して、外側ブレード８５ｅ２を前後方向に調節可能に取り付ける、外側ブレード８５ｅ２の左右両側部を回転下手側に緩傾斜状態とすると、ブレードの雑草類の巻付防止効果を高めながら、前記実施形態と同様の効果が期待できる。
【図面の簡単な説明】
【００４９】
【図１】農用作業車の側面図
【図２】農用作業車の正面図
【図３】薬液散布装置の平面図
【図４】薬液散布装置のブロック図
【図５】薬液散布装置の側面図
【図６】薬液散布装置の側面図
【図７】薬液散布装置の側面図
【図８】薬液散布装置の側面図
【図９】薬液散布装置の側面図
【図１０】薬液散布装置の側面図
【図１１】薬液散布装置の側面図
【図１２】薬液散布装置の正面図
【図１３】薬液散布装置の側面図
【図１４】農用作業車の平面図
【図１５】農用作業車の正面図
【図１６】農用作業車の平面図
【図１７】薬液散布装置のブロック図
【図１８】除草装置の側面図
【図１９】除草側面図の背面図
【図２０】除草側面図の背面図
【図２１】除草側面図の背面図
【符号の説明】
【００５０】
１      農用作業車
２      薬液タンク
３      噴霧ノズル
４Ｃ      ブームスプレーヤ
５１ａ，５１ｂ      作業機連結装置
５２ｒ    後側送風管
５４ｒ    後側エアカーテン
５２ｆ    前側送風管
５４ｆ    前側エアカーテン
【図１】
2009201487.tif 000003
【図２】
2009201487.tif 000004
【図３】
2009201487.tif 000005
【図４】
2009201487.tif 000006
【図５】
2009201487.tif 000007
【図６】
2009201487.tif 000008
【図７】
2009201487.tif 000009
【図８】
2009201487.tif 000010
【図９】
2009201487.tif 000011
【図１０】
2009201487.tif 000012
【図１１】
2009201487.tif 000013
【図１２】
2009201487.tif 000014
【図１３】
2009201487.tif 000015
【図１４】
2009201487.tif 000016
【図１５】
2009201487.tif 000017
【図１６】
2009201487.tif 000018
【図１７】
2009201487.tif 000019
【図１８】
2009201487.tif 000020
【図１９】
2009201487.tif 000021
【図２０】
2009201487.tif 000022
【図２１】
2009201487.tif 000023